(57)【要約】【課題】プロジェクトへの支援の募集開始後の反響をより伝えることによってクラウドファンディングを活性化する。【解決手段】まず、装置１００には、ユーザー登録等によって対象とする１又は複数のＳＮＳアカウントが記憶されており、これらに関連づけられた１又は複数の投稿及びそれぞれに対する反応を取得する（Ｓ３０１）。次に、装置１００は、取得した反応から各投稿の影響力を算出し（Ｓ３０２）、各影響力に基づいて各投稿についての投稿ポイントを算出する（Ｓ３０３）。そして、装置１００は、各プロジェクトについての全投稿の投稿ポイントの合計値を用いて当該プロジェクトのスコアを算出する（Ｓ３０４）。ここでは「全投稿」と記載するが、一部の投稿を合計値の合計対象から除外することもある。【選択図】図３
2020024528.tif 000002
【特許請求の範囲】
【請求項１】
クラウドファンディングサービスを提供するための方法であって、
前記クラウドファンディングサービスのためのウェブサイトのトップページに１又は複数のプロジェクトの１又は複数のプロジェクト概要を表示するステップと、
前記１又は複数のプロジェクトのいずれかのプロジェクトのプロジェクト詳細を前記ウェブサイトの個別ページに表示するステップと
を含み、
前記１又は複数のプロジェクト概要の少なくともいずれかは、各プロジェクトについての１又は複数の投稿に基づいて算出される第１のスコアに応じて選出されることを特徴とする方法。
【請求項２】
前記１又は複数のプロジェクト概要の少なくともいずれかは、そのプロジェクトについての投稿を含むことを特徴とする請求項１に記載の方法。
【請求項３】
プロジェクト概要に含まれる投稿は、そのプロジェクトについての各投稿の影響力に基づいて算出される投稿ポイントに応じて選出されることを特徴とする請求項２に記載の方法。
【請求項４】
前記影響力は、いいねの数をγ、コメントの数のδ、リツイートの数をεとして、ａγ＋ｂδ＋ｃε又はこれに係数を乗じた値であることを特徴とする請求項３に記載の方法。ここで、ａ、ｂ及びｃは正の値とする。
【請求項５】
前記投稿ポイントは、投稿を行うユーザーのフォロワー数をα（αは正の整数）として、前記影響力にαに反比例するβを乗じた値であることを特徴とする請求項３又は４に記載の方法。
【請求項６】
前記投稿ポイントは、フォロワー数が０のユーザーによる投稿について、フォロワー数が１以上のユーザーよりも低く評価することを特徴とする請求項５に記載の方法。
【請求項７】
前記第１のスコアは、各プロジェクトについての１又は複数の投稿の投稿ポイントの合計値又はこれに対応する値であることを特徴とする請求項３から６のいずれかに記載の方法。
【請求項８】
前記第１のスコアは、対象とするプロジェクトについての１又は複数の投稿の投稿ポイントの合計値に、対象とするプロジェクト以外の１又は複数のプロジェクトについての投稿ポイントの１又は複数の合計値を含めて母集団とした、対象とするプロジェクトについての合計値の偏差値であることを特徴とする請求項７に記載の方法。
【請求項９】
前記１又は複数のプロジェクト概要の前記少なくともいずれかは、各プロジェクトについての支援金額及び支援者数の少なくとも一方の合計値又はこれに対応する値である第２のスコアに追加的に応じて選出されることを特徴とする請求項７又は８に記載の方法。
【請求項１０】
前記第２のスコアは、対象とするプロジェクトについての支援金額及び支援者数の少なくとも一方の合計値に、対象とするプロジェクト以外の１又は複数のプロジェクトについての支援金額及び支援者数の少なくとも一方の合計値を含めて母集団とした、対象とするプロジェクトについての合計値の偏差値であることを特徴とする請求項９に記載の方法。
【請求項１１】
前記１又は複数のプロジェクト概要の少なくともいずれかは、各プロジェクトについての前記第１のスコア及び前記第２のスコアの和に、応募開始後の経過日数Ｄに反比例する新鮮さＦを乗じた値に応じて選出されることを特徴とする請求項９又は１０に記載の方法。
【請求項１２】
前記プロジェクト詳細は、そのプロジェクトについての投稿を含むことを特徴とする請求項１から１１のいずれかに記載の方法。
【請求項１３】
前記プロジェクト概要に含まれる投稿は、そのプロジェクトについての各投稿の影響力に基づいて算出される投稿ポイントに応じて選出されることを特徴とする請求項１２に記載の方法。
【請求項１４】
コンピュータに、クラウドファンディングサービスを提供するための方法を実行させるためのプログラムであって、前記方法は、
前記クラウドファンディングサービスのためのウェブサイトのトップページに１又は複数のプロジェクトの１又は複数のプロジェクト概要を表示するステップと、
前記１又は複数のプロジェクトのいずれかのプロジェクトのプロジェクト詳細を前記ウェブサイトの個別ページに表示するステップと
を含み、
前記１又は複数のプロジェクト概要の少なくともいずれかは、各プロジェクトについての１又は複数の投稿に基づいて算出される第１のスコアに応じて選出されることを特徴とする方法。
【請求項１５】
クラウドファンディングサービスを提供するための装置であって、
前記クラウドファンディングサービスのためのウェブサイトのトップページに１又は複数のプロジェクトの１又は複数のプロジェクト概要を表示し、
前記１又は複数のプロジェクトのいずれかのプロジェクトのプロジェクト詳細を前記ウェブサイトの個別ページに表示し、
前記１又は複数のプロジェクト概要の少なくともいずれかは、各プロジェクトについての１又は複数の投稿に基づいて算出される第１のスコアに応じて選出されることを特徴とする装置。
【請求項１６】
クラウドファンディングサービスを分析するための装置であって、
前記クラウドファンディングサービスのためのウェブサイトのトップページにプロジェクト概要が表示される１又は複数のプロジェクトの少なくともいずれかを、各プロジェクトについての１又は複数の投稿に基づいて算出される第１のスコアに応じて選出することを特徴とする装置。
【発明の詳細な説明】
【技術分野】
【０００１】
本発明は、クラウドファンディングを活性化するための装置、方法及びそのためのプログラムに関する。
【背景技術】
【０００２】
不特定多数の人から資金の調達を行うクラウドファンディングがさまざまな企業から提供されている。これらの既存のサービスでは、トップページに資金調達を目指す複数のプロジェクトがその時点で集まっている支援金額又は目標金額の達成率とともに表示される。いずれかのプロジェクトがクリック又はタップされると、当該プロジェクトの紹介文、場合によっては紹介動画が表示され、このプロジェクトを支援したい支援者は、支援金額を選択又は指定して支援を行うことができる。当該プロジェクトのための個別のウェブページには、このプロジェクトを良いと判断した人がＳＮＳでこのプロジェクトについて投稿するための１又は複数のシェアボタンが設置されている。また、支援するか否か、シェアするか否かの判断材料として、その時点までの支援者数が支援金額、達成率等に加えて表示される。
【発明の概要】
【発明が解決しようとする課題】
【０００３】
支援金額が増えていくにつれてトップページ又は各プロジェクトのための個別ページで表示される支援金額、達成率等は変化していくものの、これらの既存のサービスでは、決まった内容が表示され続け、プロジェクトへの支援の募集開始後の反響がこれから支援しようか判断したい潜在的な支援者に十分に伝わっていない。
【０００４】
本発明は、このような問題点に鑑みてなされたものであり、その目的は、プロジェクトへの支援の募集開始後の反響をより伝えることによってクラウドファンディングを活性化するための装置、方法及びそのためのプログラムを提供することにある。
【課題を解決するための手段】
【０００５】
このような目的を達成するために、本発明の第１の態様は、クラウドファンディングサービスを提供するための方法であって、前記クラウドファンディングサービスのためのウェブサイトのトップページに１又は複数のプロジェクトの１又は複数のプロジェクト概要を表示するステップと、前記１又は複数のプロジェクトのいずれかのプロジェクトのプロジェクト詳細を前記ウェブサイトの個別ページに表示するステップとを含み、前記１又は複数のプロジェクト概要の少なくともいずれかは、各プロジェクトについての１又は複数の投稿に基づいて算出される第１のスコアに応じて選出されることを特徴とする。
【０００６】
また、本発明の第２の態様は、第１の態様において、前記１又は複数のプロジェクト概要の少なくともいずれかは、そのプロジェクトについての投稿を含むことを特徴とする。
【０００７】
また、本発明の第３の態様は、第２の態様において、プロジェクト概要に含まれる投稿は、そのプロジェクトについての各投稿の影響力に基づいて算出される投稿ポイントに応じて選出されることを特徴とする。
【０００８】
また、本発明の第４の態様は、第３の態様において、前記影響力は、いいねの数をγ、コメントの数のδ、リツイートの数をεとして、ａγ＋ｂδ＋ｃε又はこれに係数を乗じた値であることを特徴とする。ここで、ａ、ｂ及びｃは正の値とする。
【０００９】
また、本発明の第５の態様は、第３又は第４の態様において、前記投稿ポイントは、投稿を行うユーザーのフォロワー数をα（αは正の整数）として、前記影響力にαに反比例するβを乗じた値であることを特徴とする。
【００１０】
また、本発明の第６の態様は、第５の態様において、前記投稿ポイントは、フォロワー数が０のユーザーによる投稿について、フォロワー数が１以上のユーザーよりも低く評価することを特徴とする。
【００１１】
また、本発明の第７の態様は、第３から第６のいずれかの態様において、前記第１のスコアは、各プロジェクトについての１又は複数の投稿の投稿ポイントの合計値又はこれに対応する値であることを特徴とする。
【００１２】
また、本発明の第８の態様は、第７の態様において、前記第１のスコアは、対象とするプロジェクトについての１又は複数の投稿の投稿ポイントの合計値に、対象とするプロジェクト以外の１又は複数のプロジェクトについての投稿ポイントの１又は複数の合計値を含めて母集団とした、対象とするプロジェクトについての合計値の偏差値であることを特徴とする。
【００１３】
また、本発明の第９の態様は、第７又は第８の態様において、前記１又は複数のプロジェクト概要の前記少なくともいずれかは、各プロジェクトについての支援金額及び支援者数の少なくとも一方の合計値又はこれに対応する値である第２のスコアに追加的に応じて選出されることを特徴とする。
【００１４】
また、本発明の第１０の態様は、第９の態様において、前記第２のスコアは、対象とするプロジェクトについての支援金額及び支援者数の少なくとも一方の合計値に、対象とするプロジェクト以外の１又は複数のプロジェクトについての支援金額及び支援者数の少なくとも一方の合計値を含めて母集団とした、対象とするプロジェクトについての合計値の偏差値であることを特徴とする。
【００１５】
また、本発明の第１１の態様は、第９又は第１０の態様において、前記１又は複数のプロジェクト概要の少なくともいずれかは、各プロジェクトについての前記第１のスコア及び前記第２のスコアの和に、応募開始後の経過日数Ｄに反比例する新鮮さＦを乗じた値に応じて選出されることを特徴とする。
【００１６】
また、本発明の第１２の態様は、第１から第１１のいずれかの態様において、前記プロジェクト詳細は、そのプロジェクトについての投稿を含むことを特徴とする。
【００１７】
また、本発明の第１３の態様は、第１２の態様において、前記プロジェクト概要に含まれる投稿は、そのプロジェクトについての各投稿の影響力に基づいて算出される投稿ポイントに応じて選出されることを特徴とする。
【００１８】
また、本発明の第１４の態様は、コンピュータに、クラウドファンディングサービスを提供するための方法を実行させるためのプログラムであって、前記方法は、前記クラウドファンディングサービスのためのウェブサイトのトップページに１又は複数のプロジェクトの１又は複数のプロジェクト概要を表示するステップと、前記１又は複数のプロジェクトのいずれかのプロジェクトのプロジェクト詳細を前記ウェブサイトの個別ページに表示するステップとを含み、前記１又は複数のプロジェクト概要の少なくともいずれかは、各プロジェクトについての１又は複数の投稿に基づいて算出される第１のスコアに応じて選出されることを特徴とする。
【００１９】
また、本発明の第１５の態様は、クラウドファンディングサービスを提供するための装置であって、前記クラウドファンディングサービスのためのウェブサイトのトップページに１又は複数のプロジェクトの１又は複数のプロジェクト概要を表示し、前記１又は複数のプロジェクトのいずれかのプロジェクトのプロジェクト詳細を前記ウェブサイトの個別ページに表示し、前記１又は複数のプロジェクト概要の少なくともいずれかは、各プロジェクトについての１又は複数の投稿に基づいて算出される第１のスコアに応じて選出されることを特徴とする。
【００２０】
また、本発明の第１６の態様は、クラウドファンディングサービスを分析するための装置であって、前記クラウドファンディングサービスのためのウェブサイトのトップページにプロジェクト概要が表示される１又は複数のプロジェクトの少なくともいずれかを、各プロジェクトについての１又は複数の投稿に基づいて算出される第１のスコアに応じて選出することを特徴とする。
【発明の効果】
【００２１】
本発明の一態様によれば、各プロジェクトについてユーザーが行った投稿に基づいて算出されるスコアに応じてトップページにプロジェクト概要を表示するプロジェクトの選出を行うことによって、支援金額だけではない、支援の募集開始後の反響をこれからクラウドファンディングサービスにアクセスするユーザーに伝えることが可能となる。
【図面の簡単な説明】
【００２２】
【図１】本発明の第１の実施形態にかかる装置を示す図である。
【図２】本発明の第１の実施形態にかかるトップページを示す図である。
【図３】本発明の第１の実施形態にかかるスコア算出の流れを説明するための図である。
【図４】本発明の第１の実施形態にかかる個別ページを示す図である。
【図５】本発明の第１の実施形態にかかるプロジェクトの新鮮さを説明するための図である。
【発明を実施するための形態】
【００２３】
以下、本発明の実施形態を図面を参照して詳細に説明する。
（第１の実施形態）  
【００２４】
図１に、本発明の第１の実施形態にかかる装置を示す。装置１００は、複数のクラウドファンディングのプロジェクトを紹介するウェブサイトを提供し、当該ウェブサイトは、当該ウェブサイトのユーザーのユーザー端末１１０からインターネット上でアクセス可能である。また装置１００は、ＳＮＳサービスを提供するＳＮＳサーバ１２０にアクセスして、当該ＳＮＳサービスにおける投稿の影響力を評価可能である。投稿の影響力又はその構成要素には、いいね（ｌｉｋｅ）、コメント、シェア、リツイート（ＲＴ）等が挙げられる。
【００２５】
装置１００が提供するクラウドファンディングサービスの各ユーザーによる投稿の影響力を評価可能とするために、各ユーザーにクラウドファンディングサービスへのユーザー登録を求め、登録情報として、評価を行うＳＮＳサービスのアカウント名等のアカウント情報を入力させることが好ましい。装置１００は、各ユーザーのアカウント情報に基づいて、当該ユーザーによる１又は複数の投稿及びそれに対する反応をたとえば当該ＳＮＳサービスのＡＰＩによって取得することが可能になる。
【００２６】
トップページ 
ユーザーがユーザー端末１１０を用いて上記クラウドファンディングサービスのためのウェブサイトのトップページ２００にアクセスした場合、ユーザー端末１１０の表示画面には、注目のプロジェクトのプロジェクト概要２１０が表示される。注目のプロジェクトは、プロジェクトに対する支援金額又は支援者数に加えて又は代替して、プロジェクトについての１又は複数の投稿に基づいて算出したスコア（以下「プロジェクトスコア」とも呼ぶ。）に応じて選出することができる。
【００２７】
図２のトップページ２００には、注目のプロジェクトのプロジェクト概要２１０を１つのみ表示しているが、複数のプロジェクトを同時に表示したり切り替えて表示したりしてもよい。この場合、算出されたプロジェクトスコアが上位のプロジェクトを表示対象とすることができる。「もっと見る」をクリック又はタップすることによって、同時に表示されるプロジェクト数を増加させてもよい。
【００２８】
表示されるプロジェクト概要２１０には、プロジェクト名２１１、支援金額又は達成率２１２に加えて、当該プロジェクトについてのＳＮＳサービスへの投稿２１３を含めることができる。投稿２１３は、時系列に新しいものから１又は複数の投稿を表示するのではなく、各投稿の影響力に基づいて算出されるポイント（以下「投稿ポイント」とも呼ぶ。）に応じて選出することができる。図２では、１つの投稿のみを表示しているが、複数の投稿を同時に表示したり切り替えて表示したりしてもよい。この場合、投稿ポイントが上位の投稿を表示対象とすることができる。「もっと見る」をクリック又はタップすることによって、同時に表示されるコメント数を増加させてもよい。
【００２９】
このように、各プロジェクトについてユーザーが行った投稿のうち影響力の大きいものをトップページに表示されるプロジェクト概要２１０に含めることによって、支援金額だけではない、支援の募集開始後の反響をクラウドファンディングサービスにアクセスする他のユーザーにより伝えることが可能となる。加えて、定期的又は断続的に表示する投稿２１３を変化させることによって、募集開始後の反響を一層伝えることができ、また、ユーザーによる操作を必要とせずにトップページ２００に投稿２１３を表示することによって、ユーザーの投稿２１３への注目を促すことができる。
【００３０】
トップページ２００には、上述のプロジェクトスコアに応じて選出された１又は複数のプロジェクトの他に、たとえばクラウドファンディングサービスの運営者がお勧めするイチオシのプロジェクトのプロジェクト概要２２０を表示してもよい。また、クラウドファンディングサービスについての説明２３０を表示してもよい。図２では、表示画面に一度に表示されずにスクロールすることで表示される部分を含めて示している。
【００３１】
プロジェクト概要２１０には、さらに共感数２１４を含めることができる。共感数２１４は、当該プロジェクトについての投稿の数又は投稿の目標数に対する達成率とすることができる。
【００３２】
上述のプロジェクトスコアの算出について、装置１００の視点でみると次のようになる。前提として、装置１００は、通信インターフェースなどの通信部１０１と、プロセッサ、ＣＰＵ等の処理部１０２と、メモリ、ハードディスク等の記憶装置又は記憶媒体を含む記憶部１０３とを備え、各処理を行うためのプログラムを実行することによって構成することができる。装置１００は、１又は複数の装置ないしサーバを含むことがあり、また当該プログラムは１又は複数のプログラムを含むことがあり、また、コンピュータ読み取り可能な記憶媒体に記録して非一過性のプログラムプロダクトとすることができる。
【００３３】
まず、装置１００には、ユーザー登録等によって対象とする１又は複数のＳＮＳアカウントが記憶されており、これらに関連づけられた１又は複数の投稿及びそれぞれに対する反応を取得する（Ｓ３０１）。次に、装置１００は、取得した反応から各投稿の影響力を算出し（Ｓ３０２）、各影響力に基づいて各投稿についての投稿ポイントを算出する（Ｓ３０３）。そして、装置１００は、各プロジェクトについての全投稿の投稿ポイントの合計値を用いて当該プロジェクトのスコア（「投稿スコア」とも呼び、「第１のスコア」に相当する。）を算出する（Ｓ３０４）。ここでは「全投稿」と記載するが、一部の投稿を合計値の合計対象から除外することもあり、より一般には、１又は複数の投稿ポイントの合計値を用いて算出される当該プロジェクトについてのスコアが投稿スコアである。
【００３４】
各プロジェクトについての１又は複数の投稿に基づいて算出される投稿スコアを当該プロジェクトのスコアとすることができるが、各プロジェクトに対する支援金額及び支援者数の少なくとも一方に基づいて算出されるスコア（以下「支援スコア」とも呼び、「第２のスコア」に相当する。）を追加的に考慮してプロジェクトスコアを得るようにしてもよい。
【００３５】
ユーザーは、プロジェクトに対して資金を投じて支援することに加えて、プロジェクトについての投稿を行って応援をすることができるが、投稿による応援のみをすることもできる。購入型クラウドファンディングの場合、投稿による応援のみを行ったユーザーの中から抽選等によって選ばれたユーザーに資金を投じて支援を行ったユーザーと同一又はそれに対応する商品を与えるようにすることで、投稿による応援を促すことができる。抽選ではなく、ユーザーの当該プロジェクトに対する１又は複数の投稿による貢献度を貢献ポイントとして評価して選ぶことも考えられる。また、投稿による応援を行うユーザーのこうした可視化は、言わばファンの可視化であり、購入等には至らなかった潜在的な購入者との接点となる。
【００３６】
上述の説明では、プロジェクトスコアに応じてトップページ２００に表示される注目のプロジェクトを選出する例を挙げたが、注目のプロジェクトの選出自体は異なる基準で行い、選出されたプロジェクトのプロジェクト概要２１０の一部として表示する投稿２１３については、上述のように投稿ポイントに応じて選出してもよい。
【００３７】
個別ページ 
トップページ２００に表示される１又は複数のプロジェクトのいずれかについての詳細が個別ページ４００に表示される。個別ページ４００には、プロジェクト名４０１、支援金額４０２に加えて、当該プロジェクトについてのＳＮＳサービスへの投稿４０３を含めることができる。また、当該プロジェクトについての共感数４０４を個別ページ４００に表示されるプロジェクト詳細に含めてもよい。投稿４０３は、トップページ２００と同様に、時系列に新しいものから１又は複数の投稿を表示するのではなく、各投稿の影響力に基づいて算出される投稿ポイントに応じて選出することができる。図４では、１つの投稿のみを表示しているが、複数の投稿を同時に表示したり切り替えて表示したりしてもよい。この場合、投稿ポイントが上位の投稿を表示対象とすることができる。
【００３８】
なお、本実施形態における説明では区別しないが、トップページ２００において採用する投稿ポイントと個別ページ４００において採用する投稿ポイントは、いずれも各投稿の影響力に基づいて算出するものであるものの、算出アルゴリズムの詳細は異なるものとすることも可能である。また、各投稿のポイントの他に各投稿の表示時間、表示頻度、表示形式等をトップページ２００とは異なるものとすることも可能である。
【００３９】
個別ページ４００を見て、資金を投じて支援をしたいとユーザーが考えた場合には、「購入する」ボタン４０５をクリック又はタップして購入画面に進み、投稿により応援したいと考えた場合には、「投稿する」ボタン４０６をクリック又はタップして投稿画面に進むことができる。ここでは「購入する」と記載することで購入型クラウドファンディングを前提としているが、購入型に限らず、クラウドファンディングサービスのユーザーが資金を投じることで支援を行うことのできる任意の型のクラウドファンディングに本発明は適用可能であることを付言する。加えて、購入型クラウドファンディングは、募集期間を購入可能期間とみれば期間限定のＥＣと捉えることも可能であることを付言する。
【００４０】
以下では、スコアの算出の詳細を説明するが、本明細書の全体を通じて、「××のみに基づいて」、「××のみに応じて」、「××のみの場合」というように「のみ」との記載がなければ、本明細書においては、付加的な情報も考慮し得ることが想定されていることに留意されたい。また、「Ａに基づいてＢを算出する」と記載した場合、ＢをＡ自体とすることも含まれることに留意されたい。
【００４１】
また、念のため、なんらかの方法、プログラム、端末、装置、サーバ又はシステム（以下「方法等」）において、本明細書で記述された動作と異なる動作を行う側面があるとしても、本発明の各態様は、本明細書で記述された動作のいずれかと同一の動作を対象とするものであり、本明細書で記述された動作と異なる動作が存在することは、当該方法等を本発明の各態様の範囲外とするものではないことを付言する。
【００４２】
投稿スコアの詳細 
各投稿ポイントは、各投稿の影響力に基づいて算出されるところ、影響力Ｉは、当該投稿が投稿されたＳＮＳサービスにおける当該投稿に対するいいね、コメント、シェア及びリツイートのいずれかの数とすることができる。いいねの数をγ、コメントの数のδ、リツイートの数をεとして、影響力Ｉをａγ＋ｂδ＋ｃεと定義してもよい。ここで、ａ、ｂ及びｃは係数であり、たとえばすべてを正の値とすることができる。一例として、ａ＝１、ｂ＝３、ｃ＝４として、リツイート数の重みを大きく設定することが考えられる。
【００４３】
投稿を行ったユーザーのフォロワー数が多い場合、いいね、コメント、リツイートなども絶対値としては多くなる傾向にあることから、投稿自体の影響力をより正確に評価するために、フォロワー数をα（αは正の整数）として、αに反比例する係数βを用いて投稿ポイントＹをβ（ａγ＋ｂδ＋ｃε）と定義してもよい。一例として、
αが１以上  β＝１＋１／α
αが０      β＝０
とすることが考えられる。αが０のアカウントの投稿に対するいいねなどの反応は、ボットによる自動的なものである可能性があり、影響力Ｉの評価に対する寄与を小さくするのが好ましく、上記の例のようにβを０として除外してもよい。ここで、影響力Ｉをβ（ａγ＋ｂδ＋ｃε）と定義して、Ｙ＝Ｉと考えてもよい。
【００４４】
各投稿の投稿ポイントを用いて、各プロジェクトについての１又は複数の投稿の影響力を投稿スコアとして評価することができる。具体的には、対象とするプロジェクトについての全投稿又は１若しくは複数の投稿の投稿ポイントの合計値を投稿スコアとすることができる。また、当該合計値に、対象とするプロジェクト以外の１又は複数のプロジェクトについての投稿ポイントの１又は複数の合計値を含めて母集団として、対象とするプロジェクトについての投稿ポイントの合計値の偏差値を投稿スコアとすることができる。投稿スコアに偏差値を用いる場合、後述の応援スコアも偏差値とすることで、これらのスコアの合算が行いやすくなる。合算においては、必要に応じて重みづけを行うことが考えられる。
【００４５】
投稿スコアはより一般に、対象とするプロジェクトについての１若しくは複数の投稿の投稿ポイントの合計値又はそれに対応する値と定義することができる。
【００４６】
支援スコアの詳細 
あるプロジェクトに対する支援金額の合計値を支援スコアとすることができる。また、当該合計値に、対象とするプロジェクト以外の１又は複数のプロジェクトについての支援金額の合計値を含めて母集団として、対象とするプロジェクトについての支援金額の合計値の偏差値を支援スコアとすることができる。また、支援金額ではなく支援者数の合計値又はその偏差値を支援スコアとすることもできる。
【００４７】
支援スコアはより一般に、対象とするプロジェクトについての支援金額及び支援者数の少なくとも一方の合計値又はそれに対応する値と定義することができる。支援金額の合計値の偏差値と支援者数の合計値の偏差値とを必要に応じて重みづけをして合計して支援スコアとすることも考えられる。
【００４８】
プロジェクトスコアの詳細 
各プロジェクトのスコアは、投稿スコア及び支援スコアの少なくとも一方に基づいて算出することができる。一例として、投稿スコアと支援スコアの和とすることが考えられる。
【００４９】
装置１００が提供するクラウドファンディングサービスでは随時プロジェクトが追加されていくところ、特に人気の高いプロジェクトが存在すると当該プロジェクトの応募期間は当該プロジェクトのトップページ２００の露出が過度に増えてしまうおそれがある。そこで、本実施形態においては、プロジェクトの応募開始後の経過時間に応じた「新鮮さ」という概念を導入することができる。応募開始後の経過日数をＤとして、Ｄに反比例する係数を新鮮さＦとすることが考えられる。投稿スコア、支援スコア、又はプロジェクトスコアに新鮮さＦを乗じることで、トップページ２００で露出するプロジェクトの入れ替えが起きやすくして、クラウドファンディングサービスが活性化される。
【００５０】
一例として、Ｆを以下のように定義することが考えられる。
【００５１】
【数１】
2020024528.tif 000003
【００５２】
また、経過日数Ｄは、当該プロジェクトについての投稿がなされた場合に０にリセットすることができ、あらかじめ定めた値以上の影響力Ｉを有する投稿がなされた場合にのみリセットが行われるようにすることもできる。図５に、経過日数をこのように定義した場合の新鮮さＦの振る舞いを例示しており、２２日経過後に新たな投稿がなされてリセットしている。
【００５３】
（第２の実施形態）  
本発明の第１の実施形態では、クラウドファンディングサービスを提供する装置１００において、クラウドファンディングサービスのユーザーによるＳＮＳにおける投稿の影響力を分析しているが、クラウドファンディングサービスは装置１００以外の装置（図示せず）によって提供し、装置１００は、当該クラウドファンディングサービスに対して、投稿の影響力の分析、プロジェクトの人気度の分析をたとえばＡＰＩにより提供するようにすることもできる。そして、装置１００は、分析結果又はプロジェクト若しくは投稿の選出結果をクラウドファンディングサービスを提供する装置に送信することができる。
【符号の説明】
【００５４】
１００  装置
１０１  通信部
１０２  処理部
１０３  記憶部
１１０  ユーザー端末
１２０  ＳＮＳ装置
２００  トップページ
２１０  注目のプロジェクトのプロジェクト概要
２１１  プロジェクト名
２１２  支援金額
２１３  投稿
２１４  共感数
２２０  運営者がお勧めするプロジェクトのプロジェクト概要
２３０  サービス説明
４００  個別ページ
４０１  プロジェクト名
４０２  支援金額
４０３  投稿
４０４  共感数
４０５  「購入する」ボタン
４０６  「投稿する」ボタン
【図１】
2020024528.tif 000004
【図２】
2020024528.tif 000005
【図３】
2020024528.tif 000006
【図４】
2020024528.tif 000007
【図５】
2020024528.tif 000008